(57)【要約】【課題】、意匠性を向上させることが可能な、採光パネルを備える建具を提供すること。【解決手段】透光性の採光パネル１２と、採光パネル１２の端部を保持する採光パネル保持部３１０を有する枠体３０と、少なくとも採光パネル１２及び採光パネル保持部３１０の室外側に配置され、採光パネル１２及び採光パネル保持部３１０を覆う透光性の化粧パネル１４と、を備える建具である。化粧パネルの端部を保持する化粧パネル保持部３２０をさらに備え、化粧パネル保持部３２０の屋外側面は、枠体３０を構成する少なくとも一つの縦枠３１の屋外側面と略面一である。【選択図】図２
2018080523.tif 000002
【特許請求の範囲】
【請求項１】
透光性の採光パネルと、
前記採光パネルの端部を保持する採光パネル保持部を有する枠体と、
少なくとも前記採光パネル及び前記採光パネル保持部の室外側に配置され、前記採光パネル及び前記採光パネル保持部を覆う透光性の化粧パネルと、を備える建具。
【請求項２】
前記化粧パネルの端部を保持する化粧パネル保持部をさらに備え、
前記化粧パネル保持部の屋外側面は、前記枠体を構成する少なくとも一つの枠材の屋外側面と略面一である請求項１に記載の建具。
【請求項３】
前記化粧パネルは、前記採光パネル保持部の室外側面に固定される請求項２に記載の建具。
【請求項４】
前記枠体内に配置される戸体をさらに備え、
前記枠体は、一対の横枠と、一対の縦枠と、前記戸体が配置される戸体開口部と前記採光パネルが配置される袖部とに前記枠体内を仕切る方立と、を有し、
前記一対の縦枠は、前記一対の横枠に対して縦勝ちに配置され、
前記一対の横枠は、前記方立に対して横勝ちに配置され、
前記化粧パネル保持部は、前記方立の室外側面を覆うように延びるリブを有する請求項２又は３に記載の建具。
【発明の詳細な説明】
【技術分野】
【０００１】
本発明は、建具に関する。
【背景技術】
【０００２】
従来、玄関等の開口部に設けられる戸体及びこの戸体に隣接して配置される袖部を有する建具が知られている。袖部には、採光のためガラス等の光透過性の採光パネルが設けられる。採光パネルは、戸体に比べて厚さも薄く、割れやすいので、強度を確保するために採光パネルを室内側及び室外側の両方から保持する必要がある。また、採光パネルを保持する保持部を配置するために、採光パネルが戸体よりも室内側に奥まった位置に配置され、室外側に段差が生じることとなっていた（例えば、特許文献１参照）。
【先行技術文献】
【特許文献】
【０００３】
【特許文献１】特開２００３−１３８８５５号公報
【発明の概要】
【発明が解決しようとする課題】
【０００４】
採光パネルを保持する保持部は、方立や縦枠等で構成される枠体の内側面に配置される。このため、枠体から採光パネルまでの見付け方向の寸法９Ａ、９Ｂが大きくならざるを得ないという問題があった（図５参照）。また、枠体から採光パネルまでの見付け寸法が大きくなると、袖部を正面から見た場合に、採光パネルの周囲に保持部や枠体等が視認され、煩雑な印象を与えることがある（図４参照）。そこで、採光パネルを備える建具において外観を良好にすることが望まれている。
【課題を解決するための手段】
【０００５】
本発明は、意匠性を向上させることが可能な、採光パネルを備える建具を提供することを目的とする。
【０００６】
上記目的を達成するため本発明は、透光性の採光パネル（例えば、後述の採光パネル１２）と、前記採光パネルの端部を保持する採光パネル保持部（例えば、採光パネル保持部３１０）を有する枠体（例えば、後述の枠体３０）と、少なくとも前記採光パネル及び前記採光パネル保持部の室外側に配置され、前記採光パネル及び前記採光パネル保持部を覆う透光性の化粧パネル（例えば、後述の化粧パネル１４）と、を備える建具を提供する。
【０００７】
前記化粧パネルの端部を保持する化粧パネル保持部（例えば、後述の化粧パネル保持部３２０）をさらに備え、前記化粧パネル保持部の屋外側面は、前記枠体を構成する少なくとも一つの枠材（例えば、後述の縦枠３１）の屋外側面と略面一であることが好ましい。
【０００８】
前記化粧パネルは、前記採光パネル保持部の室外側面に固定されることが好ましい。
【０００９】
前記枠体内に配置される戸体（例えば、後述の戸体２０）をさらに備え、
前記枠体は、一対の横枠（例えば、後述の横枠３３、３４）と、一対の縦枠（例えば、後述の縦枠３１、３２）と、前記戸体が配置される戸体開口部と前記採光パネルが配置される袖部（例えば、後述の袖部１０）とに前記枠体内を仕切る方立（例えば、後述の方立３５）と、を有し、前記一対の縦枠は、前記一対の横枠に対して縦勝ちに配置され、前記一対の横枠は、前記方立に対して横勝ちに配置され、前記化粧パネル保持部は、前記方立の室外側面を覆うように延びるリブ（例えば、後述のリブ３２２）を有することが好ましい。
【発明の効果】
【００１０】
本発明によれば、意匠性を向上させることが可能な、採光パネルを備える建具を提供することができる。
【図面の簡単な説明】
【００１１】
【図１】本実施形態の建具の正面図である。
【図２】本実施形態の建具の横断面図である。
【図３】本実施形態の建具における袖部の縦断面図である。
【図４】従来の建具の正面図である。
【図５】従来の建具の横断面図である。
【発明を実施するための形態】
【００１２】
以下、本発明の実施形態について、図面を参照しながら詳しく説明する。
図１は、本実施形態に係る建具１の正面図である。図２は、建具１の横断面図であり、図３は以下に説明する袖部１０の縦断面図である。図１及び図２に示すように、本実施形態の建具１は、枠体３０と、戸体２０と、袖部１０と、を有する片袖タイプの玄関ドアである。
【００１３】
戸体２０は、建具１に吊り込まれて開閉可能に取り付けられた板体であり、建具１の出入口を構成する。戸体２０は、上下に長い長方形の形状を有する。
【００１４】
袖部１０は、戸体２０の左右方向の一方に隣接して配置された縦長の採光部である。袖部１０は、透光性の採光パネル１２及び透光性の化粧パネル１４を有する。
採光パネル１２は、図２に示すように、複層ガラスである。採光パネル１２は、室外側パネル１２ａと、室内側パネル１２ｂとがスペーサーを介して離間して配置されている。
化粧パネル１４は、光透過性の板状部材であり、採光パネル１２よりも見付け寸法（図２参照）及び上下方向の寸法が大きい（図３参照）。化粧パネル１４は、採光パネル１２よりも室外側に配置される。化粧パネル１４は、材質は問わないが、例えば樹脂パネルであってもよい。
【００１５】
枠体３０は、建具１の四周を構成するともに、戸体２０と袖部１０の間を仕切るものである。枠体３０は、一対の縦枠３１、３２と、一対の横枠３３、３４と、方立３５と、採光パネル保持部３１０と、化粧パネル保持部３２０と、を有する。詳細には、一対の縦枠３１、３２及び一対の横枠３３、３４が建具１の四周を形成する。また、戸体２０が配置される戸体開口部２０ａと袖部１０とを、方立３５が枠体３０内で仕切る。
【００１６】
一対の縦枠３１、３２は、建具の左右方向における一方と他方の端部に、上下方向に延びるように配置される。一方の縦枠３１は、袖部１０の側部に、他方の縦枠３２は、戸体２０の側部に配置される。
【００１７】
一対の横枠３３、３４は、建具の上下に、左右方向に延びるように配置される。図１に示すように、横枠３３、３４と縦枠３１、３２とは、縦がちに配置される。
【００１８】
方立３５は、縦枠３１、３２の間の袖部１０寄りに、上下方向に延びるように配置される。方立３５は、横枠３３、３４に対して横がちで配置される。図２に示すように、方立３５の屋外側面は、一対の縦枠３１、３２の屋外側面よりもわずかに室内側に奥まっている。
【００１９】
採光パネル保持部３１０は、一方の縦枠３１と、方立５３との間に配置され、採光パネル１２の四周の端部を保持することで採光パネル１２を袖部１０内に固定する。採光パネル保持部３１０は、例えばアルミ等の金属で構成され、枠体３０と同じ素材や同系色に彩色される。採光パネル保持部３１０は、固定枠３１１と、押縁部材３１２と、ビート３１３と、を有する。
固定枠３１１は、一方の縦枠３１、方立５３、一対の横枠３３、３４の袖部１０側で形成される袖部１０の枠の内側に配置される枠状の部材であり、図２及び図３に示すように、断面視コ字状に内側が開口している。固定枠３１１の開口部３１１ａに、採光パネル１２の端部が挿入される。
押縁部材３１２は、固定枠３１１の室内側の一部を構成する。図２に示すように、押縁部材３１２は、固定枠３１１の他の部分に対して取り外し可能に配置される。詳細には、押縁部材３１２は、固定枠３１１の室内側で左右方向に延びる側部３１１ｂの一部と、側部３１１ｂから室外側に屈曲して採光パネル１２まで延びる奥行方向の一辺３１１ｃとを構成する。押縁部材３１２の端部は、採光パネル１２の室内側の面に向かうように延びている。
ビート３１３は、固定枠３１１の室外側の端部と、室内側の端部（押縁部材３１２の採光パネル１２側の端部）に配置され、採光パネル１２に直接当接している。ビート３１３は例えばゴムのような弾性部材で構成され、採光パネル１２の周囲に接して固定枠３１１との隙間を埋める。
【００２０】
化粧パネル保持部３２０は、採光パネル保持部３１０の室外側に取り付けられて、化粧パネル１４の四周の端部を保持する部材である。化粧パネル保持部３２０は、図２に示すように、枠体３０を構成する少なくとも一つの枠材である一方の縦枠３１側では、縦枠３１の屋外側面と化粧パネル保持部３２０の屋外側面とが略面一になるように配置されている。
【００２１】
化粧パネル保持部３２０は、取り付け部３２１と、リブ３２２と、接続部３２３と、を有する。
取り付け部３２１は、図２に示すように、採光パネル保持部３１０の室外側の側部３１１ｄに当接し、側部３１１ｄに沿って配置される部分である。
リブ３２２は、取り付け部３２１と平行に延び、方立３５の室外側面に沿って延びる部分である。図２に示すように、リブ３２２は、方立３５の室外側面と、縦枠３１の室外側面とのわずかな位置の差の分の厚さを有し、リブ３２２が方立３５の室外側面を覆うように取り付けられる。リブ３２２の室外側面と、縦枠３１の室外側面とは、同一直線上にあり、面一の位置関係にある。なお、リブ３２２は、袖部１０の方立３５側の化粧パネル保持部３２０にのみ設けられ、一方の縦枠３１側の化粧パネル保持部３２０には設けられていない。
接続部３２３は、取り付け部３２１とリブ３２２とを袖部１０の奥行方向に接続する部分である。
【００２２】
次に、本実施形態における採光パネル１２及び化粧パネル１４の設置手順について説明する。採光パネル１２及び化粧パネル１４は、方立３５の左右方向の一方に袖部１０が、他方に戸体２０が配置された建具１の袖部１０に取り付けられる。まず、採光パネル保持部３１０のビート３１３及び押縁部材３１２を外して、採光パネル１２を外した状態で、室内側から化粧パネル１４を取り付け、ねじで化粧パネル１４を採光パネル保持部３１０の室外側面（固定枠３１１の側部３１１ｄ）に固定する。このとき、化粧パネル保持部３２０の室外側面と、一方の縦枠３１とが、略面一になるように化粧パネル保持部３２０を固定する。
【００２３】
化粧パネル１４の室外側面は、枠体３０の方立３５及び一方の縦枠３１の室外側面に沿って配置され、化粧パネル１４の面が室外側に面するように配置される。化粧パネル保持部３２０のリブ３２２は、取り付けられた状態で方立３５を覆うように配置されているので、室外側から方立３５の表面は視認されないようになっている。
【００２４】
次に、採光パネル１２を採光パネル保持部３１０の固定枠３１１の開口部３１１ａに挿入し、押縁部材３１２を取り付け、押縁部材３１２と採光パネル１２との間にビート３１３を取り付ける。これにより、採光パネル１２が取り付けられ、化粧パネル１４が、採光パネル１２及び採光パネル保持部３１０を室外側から覆うような位置関係で袖部１０に取り付けられる。
【００２５】
化粧パネル１４が採光パネル１２及び採光パネル保持部３１０を覆っているので、図２に示すように、袖部１０においてパネルの光を透過する部分の見付け寸法が正面視で大きくなる。詳細には、従来、図４及び５に示すように、採光パネル１２’の採光パネル保持部３１０’の内側から方立３５’までと方立３５’を合せた見付け寸法９Ａ、採光パネル保持部３１０’の内側から縦枠３１’までと縦枠３１’を合せた見付け寸法９Ｂが相対的に広く、採光パネル１２’の正面視における見付け寸法が狭かった。これに対し、本実施形態では、図１及び図２に示すように、化粧パネル１４の化粧パネル保持部３２０の内側から方立３５の戸体側の端部までの見付け寸法Ａと、化粧パネル保持部３２０の内側から縦枠３１の外側の端部までの見付け寸法Ｂとが、従来と比べて狭くなり、化粧パネル１４の見付け寸法が広くなる。
【００２６】
本実施形態によれば、以下の効果が奏される。
本実施形態では、建具１を、透光性の採光パネル１２と、採光パネル１２の端部を保持する採光パネル保持部３１０を有する枠体３０と、少なくとも採光パネル１２及び採光パネル保持部３１０の室外側に配置され、採光パネル１２及び採光パネル保持部３１０を覆う透光性の化粧パネル１４と、を含んで構成した。
本実施形態によれば、化粧パネル１４が採光パネル１２及び採光パネル保持部３１０を覆うように、採光パネル１２よりも室外側に配置されているので、採光パネル保持部３１０が外側から見えず、化粧パネル１４の周囲の枠体３０の見付け寸法が小さくなる。同時に、化粧パネル１４の周囲の枠体３０の見付け寸法が小さくなることで、相対的に化粧パネルの化粧面の面積が大きくなる。よって、化粧パネル１４周りの外観がすっきりし、意匠性が向上する。
【００２７】
本実施形態によれば、化粧パネル１４の端部を保持する化粧パネル保持部３２０をさらに含んで構成した。また、化粧パネル保持部３２０の屋外側面は、枠体３０を構成する一方の縦枠３１の屋外側面と略面一にした。これにより、少なくとも一方の縦枠３１側では、縦枠３１と化粧パネル保持部３２０とが面一になっているので、段差が生じない。このため、縦枠３１と化粧パネル保持部３２０とが一体的に見えて意匠性が向上する。さらに、段差がないために室外の埃などが入りこみにくく、清掃性も向上する。
【００２８】
本実施形態によれば、化粧パネル１４を、採光パネル保持部３１０の室外側面に固定した。化粧パネル１４は採光パネル１２及び採光パネル保持部３１０を覆うような位置関係にあるので、化粧パネル１４を留めるネジなどが室外側から視認されない。よって、外観の意匠性がさらに向上する。
【００２９】
本実施形態によれば、建具１を、枠体３０内に配置される戸体２０をさらに含んで構成した。また枠体３０を、一対の横枠３３、３４と、一対の縦枠３１、３２と、戸体２０が配置される戸体開口部２０ａと採光パネル１２が配置される袖部１０とに枠体３０内を仕切る方立３５と、を含んで構成し、一対の縦枠３１、３２を、一対の横枠３３、３４に対して縦勝ちに配置し、一対の横枠３３、３４を、方立３５に対して横勝ちに配置した。また、化粧パネル保持部３２０を、方立３５の室外側面を覆うように延びるリブ３２２を含んで構成した。横枠３３、３４が方立３５に対して横勝ちに配置され、化粧パネル保持部３２０から延びるリブ３２２が方立３５を覆っているので、方立３５が目立たなくなるとともに、化粧パネル保持部３２０と建具１との一体性が高まり、意匠性が向上する。
【００３０】
なお、本発明は上記実施形態に限定されるものではなく、本発明の目的を達成できる範囲での変形、改良等は本発明に含まれる。
例えば、上記実施形態では、化粧パネル１４は、採光パネル１２の室外側のみに設けられているが、これに限られない。化粧パネルは、採光パネル１２の室内側にも設けられていてもよい。これにより、室内側からの外観が向上する。
【符号の説明】
【００３１】
１    建具
１２  採光パネル
１４  化粧パネル
１０  袖部
２０  戸体
３０  枠体
３１、３２  縦枠
３３、３４  横枠
３５  方立
３１０  採光パネル保持部
３２０  化粧パネル保持部
３２２  リブ
【図１】
2018080523.tif 000003
【図２】
2018080523.tif 000004
【図３】
2018080523.tif 000005
【図４】
2018080523.tif 000006
【図５】
2018080523.tif 000007